(57)【要約】  本発明は、照明器具であって、３次元ボディの表面に配設される複数の有向光源と、前記照明器具の動作状態を制御するための制御装置とを有する照明器具に関する。前記制御装置は、３次元接触感知面を有する。前記接触感知面上の各箇所は、前記ボディの表面の或る位置にある少なくとも１つの光源の動作状態が、前記接触感知面上の、この位置に割り当てられる箇所に接触することによって、変更可能であるように、前記ボディの表面の或る位置に割り当てられる。照明器具を制御するための対応する方法は、３次元接触感知面上の或る箇所における接触を検出するステップと、前記ボディの表面の、前記接触感知面上の接触箇所に割り当てられる位置にある少なくとも１つの光源の動作状態を変更するステップとを有する。
2013503428.tif 000002
【特許請求の範囲】
【請求項１】
照明器具であり、
３次元ボディの表面に配設される複数の有向光源と、
前記照明器具の動作状態を手動で制御するための制御装置とを有する照明器具であって、
前記制御装置が、３次元接触感知面を有し、
前記接触感知面上の各箇所が、前記ボディの表面の或る位置にある少なくとも１つの光源の動作状態が、前記接触感知面上の、この位置に割り当てられる箇所に接触することによって、変更可能であるように、前記ボディの表面の或る位置に割り当てられる照明器具。
【請求項２】
前記接触感知面が、透光性であり、前記光源が配置される前記ボディの表面を覆い、前記接触感知面の各接触箇所が、前記ボディの表面の、前記各接触箇所が割り当てられる位置のすぐ上に配置される請求項１に記載の照明器具。
【請求項３】
前記制御装置が、前記接触感知面における接触の継続期間を検出し、検出された前記継続期間に従って少なくとも１つの光源の動作状態を変更するよう設けられる請求項１乃至２のいずれか一項に記載の照明器具。
【請求項４】
前記制御装置が、前記接触感知面における接触のシーケンスを検出し、検出された前記シーケンスに従って少なくとも１つの光源の動作状態を変更するよう設けられる請求項１乃至３のいずれか一項に記載の照明器具。
【請求項５】
前記制御装置が、前記接触感知面上の前記接触箇所に割り当てられる位置に位置する点灯される光源のグループのサイズを変更するよう設けられる請求項１乃至４のいずれか一項に記載の照明器具。
【請求項６】
前記制御装置が、前記少なくとも１つの光源の特性の少なくとも１つを変更するよう設けられ、前記特性が、輝度、色、色相及び飽和度のうちの少なくとも１つを含む請求項１乃至５のいずれか一項に記載の照明器具。
【請求項７】
前記有向光源が、異なる方向を向いているＬＥＤとして設けられる請求項１乃至６のいずれか一項に記載の照明器具。
【請求項８】
３次元ボディの表面に配設される複数の有向光源を有する照明器具を制御するための方法であって、
３次元接触感知面上の或る箇所における接触を検出するステップと、
前記ボディの表面の、前記接触感知面上の接触箇所に割り当てられる位置にある少なくとも１つの光源の動作状態を変更するステップとを有する方法。
【請求項９】
前記接触感知面が、透光性であり、前記光源が配置される前記ボディの表面を覆う請求項８に記載の方法。
【請求項１０】
前記接触感知面における接触の継続期間を検出するステップと、
検出された前記継続期間に従って少なくとも１つの光源の動作状態を変更するステップとを更に有する請求項８又は９に記載の方法。
【請求項１１】
前記接触感知面における接触のシーケンスを検出するステップと、
検出された前記シーケンスに従って少なくとも１つの光源の動作状態を変更するステップとを更に有する請求項８乃至１０のいずれか一項に記載の方法。
【請求項１２】
前記接触感知面上の前記接触箇所に割り当てられる位置に位置する点灯される光源のグループのサイズを変更するステップを更に有する請求項８乃至１１のいずれか一項に記載の方法。
【請求項１３】
前記少なくとも１つの光源の特性の少なくとも１つを変更するステップを更に有し、前記特性が、輝度、色、色相及び飽和度のうちの少なくとも１つを含む請求項８乃至１２のいずれか一項に記載の方法。
【発明の詳細な説明】
【技術分野】
【０００１】
本発明は、３次元ボディの表面に配設される複数の有向光源（directed light source）を有する照明器具、及びこの種の発光体を制御するための方法に関する。
【背景技術】
【０００２】
部屋を照明し、心地よい雰囲気を作成するための多数の光源を備える多種多様な設計の照明器具が知られている。様々な種類の光源が、様々な作業のために設けられ得る。例えば、照明器具は、読書灯としての１つ以上の有向光源、及び／又は部屋を照明する周囲照明を作成する別の光源を含むことができる。照明器具のこれらの異なる光源は、対応する制御装置によって独立して制御され得る。
【０００３】
ほとんどの場合、このような照明器具の制御装置は、異なる光源の光強度を変えるための減光／ブースト装置又はオン／オフスイッチを備える単純な構成を供給する。光源の数が増すとともに、制御装置の構成は必然的により複雑になり、照明器具を望ましいように制御することをより困難にする。特に、例えば、色、色相(hue)及び飽和度(saturation)のような光源の動作状態の付加的なパラメータが制御されるべきである場合にそうである。様々な作業照明及び雰囲気作成用照明の統合のような、多種多様な照明機能の１つの照明器具への組み込みは、ほぼ必然的に、制御の複雑さの増大に進む。しかしながら、照明器具に組み込まれる作業照明の方向を容易に制御することが望まれる。有向光源としてのＬＥＤであって、これらの光条件を変える多種多様な機能を提供するＬＥＤでは特にそうである。
【０００４】
他方、使い勝手の良さは、消費者市場で重要さが増している要素である。特に、高齢者のシニア市場においては、直観的な方法で容易に制御され得る製品を提供することが非常に重要である。このような製品を制御するためのユーザインタフェースは、問題となっている装置の多数の複雑な機能が制御されるべきである場合であっても、単純なコンセプトに基づいているべきである。既知の照明器具は、光源、あり得る照明方向及び動作パラメータの数が増すとともに、制御装置が、使用するのが難しくなることから、これらの要求を満たさない。
【発明の概要】
【発明が解決しようとする課題】
【０００５】
それ故、本発明の目的は、照明器具であって、多数の機能が単純なユーザインタフェースを用いて制御されることができ、これが、前記照明器具の照明機能を制御する直観的な方法を可能にする照明器具を提供することである。別の目的は、上記の種類の照明器具、特に、様々な目的のための様々な照明機能を有する照明器具のための単純且つ直観的な制御方法の作成にある。
【課題を解決するための手段】
【０００６】
上記の目的は、照明器具であり、３次元ボディの表面に配設される複数の有向光源と、前記照明器具の動作状態を手動で制御するための制御装置とを有する照明器具であって、前記制御装置が、３次元接触感知面を有し、前記接触感知面上の各箇所が、前記ボディの表面の或る位置にある少なくとも１つの光源の動作状態が、前記接触感知面上の、この位置に割り当てられる箇所に接触することによって、変更可能であるように、前記ボディの表面の或る位置に割り当てられる照明器具によって達成される。
【０００７】
前記３次元接触感知面は、前記照明器具の様々な機能を直観的な方法で制御するユーザインタフェースである。例えば、ユーザは、前記接触感知面上の対応する箇所に接触することによって、簡単に、オンに切り換えられるべき１つの光源を選ぶことができる。前記ユーザは、各々の光源を選ぶことによって、前記光源の位置に依存する、光が放射される方向も選ぶ。前記３次元ボディの表面を覆う多数の光源は、例えば、多数のＬＥＤを、異なる方向を向いている有向光源として配設することによって、様々な照明可能性を供給する。前記ユーザは、様々な照明機能、例えば、様々な種類の作業照明、又は様々な雰囲気を作成するための周囲照明を容易に選ぶことができる。オン又はオフに切り換えられること以外に、各々の光源の他の動作パラメータも、前記接触感知面を用いて制御されることができる。例えば、光強度は、前記接触の継続期間と共に増大し得る。前記光源の他の光特性は、前記接触感知面に接触する様々な方法によって制御され得る。前記制御装置は、これらの接触方法を認識し、それに従って、前記光源を制御することができる。
【０００８】
前記光源が配置される３次元ボディの表面に対応する３次元接触感知面の供給は、従来の照明器具から知られているような多数のスイッチなどより直観的なユーザインタフェースに相当する。接触感知面は、機動性の低下した高齢者によっても制御されることができ、故に、本発明による照明器具の使い勝手の良さは向上される。
【０００９】
本発明の好ましい実施例によれば、前記接触感知面は、透光性であり、前記光源が配置される前記ボディの表面を覆い、前記接触感知面の各接触箇所は、前記ボディの表面の、前記各接触箇所が割り当てられる位置のすぐ上に配置される。
【００１０】
これは、前記接触感知面の前記接触箇所が、それらが割り当てられる、制御されるべき前記光源の位置のすぐ上に配設され得る更に直観的な方法である。前記ユーザは、単に、各々の位置において、前記照明器具の表面に接触することによって、或る光源の機能を制御することができる。透光性接触感知面を設けることによって、光放射は、前記ユーザインタフェースによって影響を及ぼされない。
【００１１】
別の好ましい実施例によれば、前記制御装置は、前記接触感知面における接触の継続期間を検出し、検出された前記継続期間に従って少なくとも１つの光源の動作状態を変更するよう設けられる。
【００１２】
別の好ましい実施例においては、前記制御装置は、前記接触感知面における接触のシーケンスを検出し、検出された前記シーケンスに従って少なくとも１つの光源の動作状態を変更するよう設けられる。
【００１３】
このようなシーケンスは、接触のない期間によって分離される、多数の、異なる継続期間の接触を含み得る。ほんの一例として、このような接触シーケンスに含まれる各接触は、多数の不連続なステップでだんだんと明るくされる光源の１照明ステップに対応し得る。
【００１４】
別の好ましい実施例によれば、前記制御装置は、前記接触感知面の前記接触箇所に割り当てられる位置に位置する点灯される光源のグループのサイズを変更するよう設けられる。
【００１５】
例えば、接触の継続期間の増加とともに、前記ボディの表面の対応する位置に位置するグループに含まれる光源の数が、この位置における前記照明器具の照度を増加させるよう、増やされる。
【００１６】
好ましくは、前記制御装置は、少なくとも１つの光源の少なくとも１つの特性を変更するよう設けられ、前記特性は、輝度、色、色相及び飽和度のうちの１つを含む。 
【００１７】
別の好ましい実施例によれば、前記有向光源は、異なる方向を向いているＬＥＤとして設けられる。
【００１８】
本発明による、３次元ボディの表面に配設される複数の有向光源を有する照明器具を制御するための方法は、３次元接触感知面上の接触箇所における接触を検出するステップと、前記ボディの表面の、前記接触感知面上の前記接触箇所に割り当てられる位置にある少なくとも１つの光源の動作状態を変更するステップとを有する。
【００１９】
この方法の好ましい実施例によれば、前記接触感知面は、透光性であり、前記光源が配置される前記ボディの表面を覆う。
【００２０】
好ましい実施例によれば、この方法は、前記接触感知面における接触の継続期間を検出するステップと、検出された前記継続期間に従って少なくとも１つの光源の動作状態を変更するステップとを有する。
【００２１】
好ましくは、この方法は、前記接触感知面における接触のシーケンスを検出するステップと、検出された前記シーケンスに従って少なくとも１つの光源の動作状態を変更するステップとを有する。
【００２２】
別の好ましい実施例によれば、本発明による方法は、前記接触感知面上の前記接触箇所に割り当てられる位置に位置する点灯される光源のグループのサイズを変更するステップを有する。
【００２３】
別の好ましい実施例によれば、この方法は、前記少なくとも１つの光源の少なくとも１つの特性を変更するステップを更に有し、前記特性は、輝度、色、色相及び飽和度のうちの少なくとも１つを含む。
【００２４】
本発明の他の態様及び利点は、以下に示される詳細な記載から明らかになるだろう。詳細な記載及び特定の例は、本発明の例示的な実施例を示しているが、説明の目的のためのものでしかなく、本発明の範囲を限定することを目的としていないことを理解されるべきである。
【００２５】
本発明の上記の特徴、態様及び利点は、添付の図面に関する以下の記載からより良く理解されるようになるだろう。
【図面の簡単な説明】
【００２６】
【図１】本発明による照明器具の或る実施例の概略図である。
【図２】図１に記載の照明器具に含まれる光源の駆動回路の概略図である。
【発明を実施するための形態】
【００２７】
図１に示されている照明器具１０は、基本的に、２つのボディパーツ、即ち、球体１２と、球体１２を支持する台座１４とを有する。台座１４は、部屋において平らな地下の上に照明器具１０を配置するためのスタンドとしての役割を果たす。台座１４は、その底部に、平らな載置面１６を有する。台座１４から、電源と接続されるべき電力コネクタ（図示せず）へ電力ケーブル１８が続いている。
【００２８】
球体１２の球面２０は、ＬＥＤによって覆われており、図１においては、前記ＬＥＤのうちの１つが、参照符号２２によって示されている。ＬＥＤは、照明器具１０から様々な方向に光を放射するよう並べて配設される。隣接するＬＥＤ２２が同じ方向又はほとんど同じ方向を向いていることはあり得る。しかしながら、照明器具１０の球体１２から、照明器具１０を囲む部屋の異なる部分を照明するよう、光が放射されることができるように、少なくとも、異なる方向を向いているＬＥＤ２２のグループが複数存在する。
【００２９】
各ＬＥＤ２２は、照明器具１０の球体１２又は台座１４内に配置される制御装置によってオンに切り換えられる又はオフに切り換えられるようアドレス指定され得る。制御装置は、以下に記載する、ユーザのユーザインタフェースへの入力に従って、単一のＬＥＤ２２、又はＬＥＤ２２のグループにアドレス指定することができる。
【００３０】
ユーザインタフェースは、球体１２の表面２０においてＬＥＤ２２のアレイを覆う接触感知面２４として設けられる。即ち、接触感知面２４は、球体１２に対応する３次元球形をしている。接触感知面２４は、ＬＥＤ２２から放射される光が実質的な損失なしに接触感知面２４を通過することができるように透光性である。接触感知面２４の動作原理は一般に知られている。例えば、接触感知面２４は、隙間によって分離される２つの層から成る抵抗性接触感知パネルであり得る。２つの層が押し付けられる場合、これらの層は接触点において接続されるようになり、パネルは、接続される出力を持つ一対の分圧器を形成する。これは、接触事象として検知(register)され、これは、更なる処理のために照明器具１０内の制御装置に送信される。照明器具１０に組み入れられる接触感知面２４の他の例は、表面音響波（ＳＡＷ）技術、容量性パネル、音響パルス認識又は他のものに基づく接触感知パネルである。３次元接触感知面２４の動作原理それ自体は、本発明の一部ではない。制御装置によって更に処理される、接触感知面２４上の接触箇所の位置が、特定されることができるのならば、如何なる接触感知面２４も、本発明の範囲内で用いられ得る。
【００３１】
或る実施例として、ＬＥＤ２２は、３次元ボディとして球体１２の表面２０を形成するガラス層に埋め込まれ得る。表面２０のこのガラス層は、接触感知面２４を形成する層によって覆われ得る。
【００３２】
接触感知面２４上の各箇所は、ボディ表面２０の或る位置に、即ち、ボディ表面２０の、各々の接触箇所の真下に位置する位置に割り当てられる。接触感知面２４上の接触箇所が、ユーザの指などによって接触される場合、表面２０の割り当てられた位置に位置するＬＥＤ２２の動作状態が変更される。例えば、ボディ表面２０の或る位置に位置するＬＥＤ２２は、各々のＬＥＤ２２のすぐ上に位置する接触箇所であって、前記ＬＥＤ２２の前記位置に割り当てられている接触箇所において、接触感知面２４に接触することによって、オン又はオフに切り換えられることができる。実際には、制御装置が、接触感知面２４上の接触箇所を検出し、この接触箇所をボディ表面２０の或る位置に割り当てる。次いで、この位置に位置する対応するＬＥＤ２２が、その動作状態を変更される。
【００３３】
接触感知面２２に接触することによって変更されるＬＥＤ２２の他の動作状態は、ＬＥＤによって放射される光の強度、その色、色相及び飽和度を含み得る。ＬＥＤ２２の様々な種類の制御を区別する幾つかの方法が供給され得る。例えば、接触感知面２４における接触の継続期間を検出し、検出した継続期間に従ってＬＥＤ２２の動作状態を変更する制御装置が設けられ得る。一般的な例は、接触の継続期間の増加とともに、ＬＥＤ２２によって放射される光の強度を増大させるものであり得る。別の例は、接触感知面２４における接触のシーケンスを検出することができる制御装置を設けるものである。接触感知面２４上の或る接触箇所を何回もタップすることは、対応するＬＥＤ２２によって放射される強度を段階的に増大させることができ、前記接触箇所における各タップは、１強度ステップに対応する。
【００３４】
球体１２の表面２０に埋め込まれるＬＥＤ２２の動作状態を制御する別の可能性は、接触感知面２４上の接触箇所に割り当てられた位置の１つのＬＥＤ２２だけでなく、接触箇所に割り当てられた位置に位置するＬＥＤ２２のグループの動作状態を制御するものである。例えば、或る接触箇所において接触感知面２４に接触することは、前記接触箇所の真下に位置するＬＥＤ２２を中心としたＬＥＤ２２のグループの動作状態を変更することができる。制御装置は、接触感知面２４上の接触箇所に割り当てられている位置に位置する点灯されるＬＥＤ２２のグループのサイズを増大させるようプログラムされ得る。この場合には、ユーザは、一回、非常に短い期間の間、接触感知面２４に接触して、まさに割り当てられている位置に位置する１つのＬＥＤ２２だけを照らすことができる、ユーザが、より長い期間の間、接触箇所に接触する場合、前記接触箇所のまわりに位置する他のＬＥＤ２２も点灯される。点灯されるＬＥＤのグループのサイズは、点灯されるＬＥＤ２２のグループのサイズを次第に増大させる、所望の接触箇所におけるユーザの接触のシーケンスによって、変更されることもできる。
【００３５】
ＬＥＤ２２のこのようなグループの３つの例が図１において概略的に示されている。球体１２の表面２０上の右上領域においては、７個のＬＥＤ２２のグループ２６に印がつけられている。これらは、このグループ２６の中央ＬＥＤ２２の位置の真上に位置する接触箇所に接触することによって点灯され得る。上記のように、制御装置は、球体１２の表面２０のより大きな領域が点灯されるように、ＬＥＤ２２のこのグループ２６を、このグループ２４のまわりの次のＬＥＤ２２を加えることによって、大きくするようプログラムされ得る。このような、より大きなグループ２７の一例が、球体１２の表面２０の下部に示されており、１９個のＬＥＤ２２を含む。
【００３６】
球体１２を様々な位置において明るくするために、球体１２の表面２０の異なる位置にある、異なるＬＥＤ２２、又はＬＥＤ２２の異なるグループが、同時に点灯されることができる。ＬＥＤ２２、又はＬＥＤ２２のグループは、球体１２から放射状に案内される作業照明のような光錐を形成する。例えば、この点灯される、ＬＥＤ２２、又はＬＥＤ２２のグループは、或るユーザのための読書灯としての役割を果たすことができる。追加の読書灯を供給するため、ＬＥＤ２２の別のグループを点灯するよう、接触感知面２４上の異なる箇所が接触されることができる。球体１２の表面には多数のＬＥＤ２２が埋め込まれているので、異なる照明状況を供給する種類が数多くある。
【００３７】
接触感知面２４を補うために、遠隔制御装置のような付加的なユーザデバイスが供給され得る。例えば、このような付加的なユーザインタフェースは、接触感知面２４によっては困難を伴ってしか制御することができない、ＬＥＤ２２の動作パラメータを変更するのに用いられ得る。このようなユーザデバイスはまた、照明器具１０全体をオン又はオフに切り換えて、照明器具１０を電源に接続する又は電源から分離するために、制御され得る。
【００３８】
表面２０に埋め込まれた様々なＬＥＤ２２にアドレス指定するための回路の一例が図２に示されている。
【００３９】
この図においては、簡単にするために、表面２０の小さく切り取られた部分が、概略的に、平らな面として示されている。実際には、この切り取られた部分は、球面２０の一部であるので、わずかに凸状の形状をしている。ＬＥＤ２２は、表面２０を形成するガラス材料に埋め込まれている。図２は、４つのＬＥＤ２２しか示していないが、単一の制御装置によってより多くのＬＥＤ２２が制御され得る。
【００４０】
制御装置２８は、様々なＬＥＤ２２の光出力を設定するように電流源３０の動作を制御するための電流制御信号を生成するよう設けられる。ＬＥＤ２２は直列配置で配設され、各ＬＥＤ２２は、各々のＬＥＤ２２のまわりの電流バイパスを形成するスイッチ３２によって制御される。スイッチ３２が閉じられる場合、電流源２０からの電流は、ＬＥＤ２２を通過せず、ＬＥＤ２２はオフにされる。スイッチ３２は、トランジスタとして設けられ得る。
【００４１】
制御装置２８は、対応するＬＥＤ２２の光出力を個々に制御するために各々のスイッチ３２を制御するためのスイッチ制御信号を生成する。更に、制御装置２８は、電流源２０の動作を制御するための電流制御信号を生成する。ＬＥＤ２２を単純にオン／オフ照明状態の間で切り換えること以外に、スイッチ３２は、オン／オフ・デューティサイクルを利用するのに十分な速さで（例えば25Hz以上で）それらの電流供給を切り換えることによって、ＬＥＤ２２の光出力を減光するよう制御されることもできる。
【００４２】
接触感知面２４の２つの層３４及び３６は、球体１２のボディ表面２０を覆う。これらの層３４及び３６は、（図２においては示されていない）狭い隙間によって分離される。接触感知面２４が接触箇所において押される場合、層３４、３６は接続され、導電層を流れる電流を変更する分圧器として働く。この接触事象は、制御装置２８によって検出及び検知され、故に、接触感知面２４上の接触箇所は、位置を特定され、接触箇所の真下のＬＥＤ２２の位置に割り当てられることができる。
【００４３】
例えば、ユーザが、参照符号３８によって印がつけられている箇所において接触感知面２４に接触する場合、この接触箇所３８の位置は、制御装置によって検知され、接触箇所３８の真下に位置するＬＥＤ２２に割り当てられる。接触箇所３８は、この場合には、図２に示されているＬＥＤ２２の列の中の左側のＬＥＤ２２である。
【００４４】
即ち、制御装置２８は、各接触箇所３８を、ＬＥＤ２２が配置される表面２０内の対応する位置に割り当てることができる。制御装置２８は、制御装置２８のプログラミングに従って、対応するスイッチ３２を動作させることによって、対応するＬＥＤ２２を点灯することができる。
【００４５】
図２に示されている回路は、表面２０に位置するＬＥＤ２２を制御する簡略化された形態しか示していないことに注意されたい。ＬＥＤ２２の照度又は任意の他の照明パラメータの変更のような、ＬＥＤ２２を単純にオン又はオフにする以外のＬＥＤ２２の動作状態の変更をするために、より複雑な回路が設けられてもよい。
【００４６】
上の記載は、本発明を単に例示することを目的としており、添付の請求項を何らかの特定の実施例又は実施例のグループに限定するものとして解釈されるべきではない。本発明を、本発明の特定の例示的な実施例に関して詳細に説明しているが、請求項において記載されているような本発明の精神及び範囲から逸脱することなく、様々な修正及び変更がなされ得る。従って、明細書及び図面は、例示のようにみなされるべきであり、請求項の範囲を限定することを目的としていない。請求項において、「有する」という用語は、他の要素又はステップを除外せず、単数形表記は、複数性を除外しない。請求項におけるいかなる参照符号も、範囲を限定するものとして解釈されてはならない。
【図１】
2013503428.tif 000003
【図２】
2013503428.tif 000004
【国際調査報告】
2013503428.tif 000005
2013503428.tif 000006